(57)【特許請求の範囲】
【請求項１】
打設されたコンクリートを養生するにあたり、コンクリート打設面に貼着して敷設されるコンクリート用養生シートであって、
中空状に膨出する多数の突起が形成されたキャップフィルムに、前記突起内に空気を封入するバックフィルムを積層することによって、独立した気泡が所定の配列で多数形成された二つの気泡シートを含み、前記二つの気泡シートが、それぞれに形成された前記突起の頂面側を突き合わせて積層され、かつ、前記二つの気泡シートのうち、一方の気泡シートに形成される気泡の大きさと、他方の気泡シートに形成される気泡の大きさとを異ならせた気泡層とともに、
接着剤が含浸される接着剤含浸層を有し、
前記接着剤含浸層に含浸させた接着剤によってコンクリート打設面に貼着されるようにしたことを特徴とするコンクリート用養生シート。
【請求項２】
前記気泡層の上下両面を平坦な面として、一方の面側に前記接着剤含浸層を積層した請求項１に記載のコンクリート養生シート。
【請求項３】
前記気泡シートを二つ積層して前記気泡層を形成するとともに、前記気泡シートのそれぞれに形成された前記突起の頂面側を突き合わせて前記各気泡シートを積層した請求項２に記載コンクリート養生シート。
【請求項４】
前記気泡層を形成する前記各気泡シートとの間に、ライナーフィルムを介在させた請求項１〜３のいずれか一項に記載のコンクリート養生シート。
【請求項５】
相対的に小径の気泡が形成された気泡シート側に前記接着剤含浸層を積層した請求項１〜４のいずれか一項に記載のコンクリート養生用シート。
【発明の詳細な説明】
【技術分野】
【０００１】
本発明は、打設されたコンクリートを養生するために、コンクリート打設面に貼着して敷設されるコンクリート用養生シートに関する。
【背景技術】
【０００２】
打設したコンクリートが、十分な水和反応がなされないうちに急速に乾いてしまうと、その耐久性が低下するなどの不具合が生じてしまう。このため、建築工事や土木工事などの現場でコンクリートを打設した後には、通常、コンクリート打設面に散水するとともに、養生シートで覆ってコンクリートが急速に乾いてしまうのを防止している。
本出願人のうち一人は、このような養生シートとして、現場での作業性がよく、保温性にも優れた安価なコンクリート用養生シートを先に提案した（特許文献１）。
【先行技術文献】
【特許文献】
【０００３】
【特許文献１】実開平６−６５５５８号公報
【発明の概要】
【発明が解決しようとする課題】
【０００４】
しかしながら、特許文献１のコンクリート用養生シートをはじめとする従来の養生シートは、床面に打設されたコンクリートを養生する場合には、そのまま床面に敷設するだけでよいが（特許文献１の図１０参照）、天井や壁面に打設されたコンクリートに対しては、支持材を用いてコンクリート打設面に密着させなければならず（特許文献１の図１１参照）、その作業性に改善の余地があった。
特に、トンネル工事の作業現場において、打設したトンネル覆工コンクリートを養生するにあたっては、広範囲にわたる下向きのトンネル内周面に養生シートを敷設しなければならず、その作業は非常に困難なものであった。
【０００５】
本発明は、上記の事情にかんがみなされたものであり、天井や壁面に打設されたコンクリートを養生するにあたり、そのコンクリート打設面への敷設が容易なコンクリート用養生シートの提供を目的とする。
【課題を解決するための手段】
【０００６】
本発明に係るコンクリート用養生シートは、打設されたコンクリートを養生するにあたり、コンクリート打設面に貼着して敷設されるコンクリート用養生シートであって、中空状に膨出する多数の突起が形成されたキャップフィルムに、前記突起内に空気を封入するバックフィルムを積層することによって、独立した気泡が所定の配列で多数形成された二つの気泡シートを含み、前記二つの気泡シートが、それぞれに形成された前記突起の頂面側を突き合わせて積層され、かつ、前記二つの気泡シートのうち、一方の気泡シートに形成される気泡の大きさと、他方の気泡シートに形成される気泡の大きさとを異ならせた気泡層とともに、接着剤が含浸される接着剤含浸層を有し、前記接着剤含浸層に含浸させた接着剤によってコンクリート打設面に貼着されるようにした構成としてある。
【発明の効果】
【０００７】
本発明によれば、天井や壁面に打設されたコンクリートに対しても、そのコンクリート打設面にコンクリート用養生シートを貼着することができ、これによって、その敷設作業を容易にすることができる。
【図面の簡単な説明】
【０００８】
【図１】本発明に係るコンクリート用養生シートの実施形態の概略を示す平面図である。
【図２】図１中一点鎖線で囲む部分を示す要部拡大図である。
【図３】図２のＡ−Ａ端面図である。
【図４】本発明に係るコンクリート用養生シートの積層構造について一例を示す説明図である。
【図５】本発明に係るコンクリート用養生シートの積層構造について他の例を示す説明図である。
【図６】本発明に係るコンクリート用養生シートの積層構造について他の例を示す説明図である。
【図７】本発明に係るコンクリート用養生シートの積層構造について他の例を示す説明図である。
【発明を実施するための形態】
【０００９】
以下、本発明に係るコンクリート用養生シート、及びコンクリートの養生方法の好ましい実施形態について、図面を参照しつつ説明する。
なお、図１は、本実施形態に係るコンクリート用養生シートの概略を示す平面図である。また、図２は、図１中一点鎖線で囲む部分を示す要部拡大図であり、図３は、図２のＡ−Ａ端面図である。
【００１０】
これらの図に示す養生シート１は、打設されたコンクリートを養生するにあたり、コンクリート打設面に貼着して敷設されるものであって、独立した気泡２０ａが所定の配列で多数形成された第一の気泡シート２ａと、第一の気泡シート２ａに形成された気泡２０ａよりも小径の独立した気泡２０ｂが所定の配列で多数形成された第二の気泡シート２ｂとからなる気泡層３を有している。そして、養生シート１は、このような気泡層３とともに、接着剤が含浸される接着剤含浸層４を有しており、この接着剤含浸層４に含浸させた接着剤によってコンクリート打設面に貼着されるようにしてある。
【００１１】
気泡層３を形成する第一及び第二の気泡シート２ａ，２ｂは、中空状に膨出する多数の突起２１ａ，２１ｂが成形された長尺状のキャップフィルム２２ａ，２２ｂに、突起２１ａ，２１ｂ内に空気を封入するバックフィルム２３ａ，２３ｂを熱融着などにより積層することによって製造することができる。このような突起２１ａ，２１ｂ内に空気が封入された気泡シート２ａ，２ｂからなる気泡層３を有することで、養生シート１に断熱性を付与することができる。
【００１２】
また、図１〜図３に示す例にあっては、第一の気泡シート２ａに形成される気泡２０ａの大きさと、第二の気泡シート２ｂに形成される気泡２０ｂの大きさを異ならせているが、このようにすることで、第一の気泡シート２ａと第二の気泡シート２ｂとを積層したときに、第一の気泡シート２ａに形成された相対的に大径の気泡２０ａどうしの間を、第二の気泡シート２ｂに形成された相対的に小径の気泡２０ｂが部分的に塞ぐようになり、これによって、養生中における断熱性を高めることができる。
【００１３】
さらに、図１〜図３に示す例にあっては、相対的に小径の気泡２０ｂが形成された第二の気泡シート２ｂ側に接着剤含浸層４を積層している。このようにすることで、養生シート１をコンクリート打設面に貼着した際に、小径の気泡２０ｂがコンクリート打設面側に位置し、その外側を大径の気泡２０ａが覆うようになる。これにより、養生中における断熱性をより高めることができる。
【００１４】
ここで、図１〜図３に示す例において、比較的大径とされる第一の気泡シート２ａに形成される気泡２０ａの大きさは、直径１０〜５０ｍｍ程度とするのが好ましい。比較的小径とされる第二の気泡シート２ｂに形成される気泡２０ｂの大きさは、直径５〜２５ｍｍ程度とするのが好ましい。
【００１５】
また、第一の気泡シート２ａと第二の気泡シート２ｂとを積層して気泡層３を形成する際には、それぞれに形成された突起２１ａ，２１ｂの頂面側を突き合わせるように積層する。このようにすることで、第一の気泡シート２ａと第二の気泡シート２ｂとを積層することによって形成される気泡層３の上下両面を平坦にすることができる。これにより、その一方の面に接着剤含浸層４を積層することで、気泡層３と接着剤含浸層４との密着性を高めて、接着剤含浸層４が気泡層３から剥離し難くすることができる。これとともに、接着剤含浸層４をコンクリート打設面に対向させて養生シート１を貼着させる際に表面に露出する他方の面も平坦な面となるため、養生シート１の表面をなでつけてコンクリート打設面に密着させる際に引っ掛かる凹凸がなく、その作業性を良好にすることができる。
なお、第一の気泡シート２ａと第二の気泡シート２ｂとを積層するには、例えば、熱融着などによって積層することができるが、その具体的な手段は特に限定されない。
【００１６】
第一の気泡シート２ａと第二の気泡シート２ｂとを、それぞれに形成された突起２１ａ，２１ｂの頂面側を突き合わせるように積層させて気泡層３を形成する際には、両者の間にライナーフィルム２４ａを介在させるのが好ましい。このようにすることで、第一の気泡シート２ａと第二の気泡シート２ｂとの密着性を高めて、両者が剥離し難くすることができる。
すなわち、第一の気泡シート２ａと第二の気泡シート２ｂのそれぞれに形成された突起２１ａ，２１ｂの頂面側を突き合わせただけでは、突起２１ａ，２１ｂが重なる部分だけで第一の気泡シート２ａと第二の気泡シート２ｂとが接触し、その接触面積が少ないために接着強度が弱くなってしまうおそれがあるが、ライナーフィルム２４ａを介在させることで、突起２１ａ，２１ｂの頂面側の全面がライナーフィルム２４ａに接触するようにし、その接触面積を増やして接着強度を強くすることができる。
【００１７】
第一の気泡シート２ａと第二の気泡シート２ｂとの間にライナーフィルム２４ａを介在させて、これらを積層するにあたっては、図４に示すように、第一の気泡シート２ａの頂面側にライナーフィルム２４ａを積層しておき、かかる第一の気泡シート２ａと第二の気泡シート２ｂとを積層して気泡層を形成するようにしてもよい。図５に示すように、第二の気泡シート２ｂの頂面側にライナーフィルム２４ｂを積層しておき、かかる第二の気泡シート２ｂと第一の気泡シート２ａを積層して気泡層３を形成するようにしてもよい。
【００１８】
また、図６に示すように、第一の気泡シート２ａと第二の気泡シート２ｂの両方にライナーフィルム２４ａ，２４ｂを積層しておき、ライナーフィルム２４ａ，２４ｂ側を突き合わせて第一の気泡シート２ａと第二の気泡シート２ｂとを積層するようにしてもよい。このようにすると、第一の気泡シート２ａと第二の気泡シート２ｂとの接触面積がさらに増え、すなわち、ライナーフィルム２４ａ，２４ｂどうしが面で接触することになり、両者の密着性をより高めることができる。
また、図７に示すように、第一の気泡シート２ａと第二の気泡シート２ｂの両方にライナーフィルム２４ａ，２４ｂを積層しておけば、第一の気泡シート２ａと第二の気泡シート２ｂとを積層して気泡層３を形成する際に、それぞれに形成された突起２１ａ，２１ｂの頂面側を突き合わせなくても気泡層３の上下両面を平坦にすることができる。
【００１９】
本実施形態において、気泡層３を形成する気泡シート２ａ，２ｂの材料樹脂としては、例えば、ポリプロピレン系樹脂、ポリエチレン系樹脂などのポリオレフィン系樹脂を単独で、又は二種以上を混合して用いることができる。
ポリプロピレン系樹脂としては、例えば、プロピレンホモポリマー、又はプロピレンと他のオレフィンとの共重合体などが例示できる。プロピレンと共重合される他のオレフィンとしては、エチレン、ブテン−１、イソブチレン、ペンテン−１などのα−オレフィンが挙げられ、これらの他のオレフィンとの共重合体は、ランダム共重合体、ブロック共重合体のいずれであってもよい。
また、ポリエチレン系樹脂としては、例えば、高密度ポリエチレン（ＨＤＰＥ）、低密度ポリエチレン（ＬＤＰＥ）、直鎖状低密度ポリエチレン（ＬＬＤＰＥ）、直鎖状超低密度ポリエチレン（ＬＶＬＤＰＥ）、エチレン−酢酸ビニル共重合体などが例示できる。
【００２０】
また、接着剤含浸層４は、接着剤を含浸させることができる多孔質構造を備えた、例えば、不織布、織布、編布、発泡樹脂シートなどを気泡層３に積層することによって形成することができる。
上記のような樹脂製の気泡シート２ａ，２ｂからなる気泡層３に接着剤を直接塗布したのでは、接着剤とのなじみが悪く、接着剤をはじいてしまうこともあるため、これに起因してコンクリート打設面に対する貼着性が劣ってしまうおそれがある。特に、親水性の接着剤を用いる場合に、このような不具合が顕著である。
これに対して、本実施形態では、接着剤含浸層４を設け、この接着剤含浸層４に接着剤が含浸されるようにすることで、そのような不具合を有効に回避することができる。
なお、接着剤含浸層４を気泡層３に積層するための具体的な手段は特に制限されないが、接着剤含浸層４を形成する素材を適宜選択して、熱融着によって気泡層３に積層できるようにするのが好ましい。
【００２１】
また、気泡シート２ａ，２ｂからなる気泡層３をコンクリート打設面に直接敷設したのでは、気泡シート２ａ，２ｂに形成された気泡２０ａ，２０ｂの痕跡がコンクリート打設面に残ってしまい、その仕上がりに外観上の不具合が指摘されるおそれがある。これに対して、本実施形態にあっては、コンクリート打設面に接するのは接着剤含浸層４となるため、気泡２０ａ，２０ｂの痕跡がコンクリート打設面に残ってしまうおそれがない。
【００２２】
また、接着剤含浸層４には、適宜着色を施して、例えば、冬季にあっては、太陽光の吸収率の高い黒色系に着色することで、コンクリートの保温効果を高めることができる。一方、夏季にあっては、白色系に着色することで太陽光の吸収を抑えるようにすることができる。
【００２３】
このような接着剤含浸層４に含浸させる接着剤としては、親水性の高いポリビニルアルコール水溶液などのポリビニルアルコール系接着剤を用いることができる。ポリビニルアルコール系接着剤を用いる場合には、良好な接着性を維持しつつ、養生を終えてコンクリート打設面から養生シート１を引き剥がす際の剥離性を良好なものとすることができるように、その濃度や粘度などを適宜調整すればよい。
【００２４】
以上のような本実施形態における養生シート１は、コンクリート打設面に対して、接着剤により養生シート１を貼着して敷設するが、作業現場において接着剤含浸層４に接着剤を含浸させてから、その貼着作業を行うようにしてもよい。または、予め、接着剤を接着剤含浸層４に含浸させておくとともに、接着剤含浸層４の表面に剥離紙を貼り付けておき、作業現場において剥離紙を剥がしつつ、養生シート１をコンクリート打設面に貼着して敷設するようにしてもよい。
【００２５】
以上、本発明について、好ましい実施形態を示して説明したが、本発明は、前述した実施形態にのみ限定されるものではなく、本発明の範囲で種々の変更実施が可能であることは言うまでもない。
【００２６】
例えば、前述した実施形態では、キャップフィルム２２ａ，２２ｂに形成された突起２１ａ，２１ｂの配列は、幅方向に直線状に並ぶ突起２１ａ，２１ｂの列が、個々の突起２１ａ，２１ｂが互い違いとなるように長手方向に並ぶように配列されたものとしたが、これに限定されない。突起２１ａ，２１ｂの配列は、例えば、突起２１ａ，２１ｂを格子状に配列させたものであってもよい。
【００２７】
また、前述した実施形態では、二つの気泡シート２ａ，２ｂによって気泡層３を形成した例を示したが、気泡層３を形成する気泡シートは、特に図示しないが、三つ以上の気泡シートを積層するようにしてもよい。
【００２８】
なお、三つ以上の気泡シートを積層する場合であっても、これらを積層してなる気泡層の上下両面が平坦面となるようにするのが好ましい。
【産業上の利用可能性】
【００２９】
本発明は、打設されたコンクリートを養生するための技術として利用することができる。
【符号の説明】
【００３０】
１          養生シート
２ａ，２ｂ          気泡シート
２０ａ，２０ｂ          気泡
２１ａ，２１ｂ          突起
２２ａ，２２ｂ          キャップフィルム
２３ａ，２３ｂ          バックフィルム
２４ａ，２４ｂ          ライナーフィルム
３          気泡層
４          接着剤含浸層
【要約】
【課題】天井や壁面に打設されたコンクリートを養生するにあたり、そのコンクリート打設面への敷設が容易なコンクリート用養生シート、及びそのようなコンクリート用養生シートを利用したコンクリートの養生方法を提供する。
【解決手段】中空状に膨出する多数の突起２１ａ，２１ｂが形成されたキャップフィルム２２ａ，２２ｂに、突起２１ａ，２１ｂ内に空気を封入するバックフィルム２３ａ，２３ｂを積層することによって、独立した気泡２０ａ，２０ｂが所定の配列で多数形成された気泡シート２ａ，２ｂからなる気泡層３とともに、接着剤が含浸される接着剤含浸層４を有し、接着剤含浸層４に含浸させた接着剤によってコンクリート打設面に貼着されるようにする。
【選択図】      図２【図１】
0004785981.tif 000002
【図２】
0004785981.tif 000003
【図３】
0004785981.tif 000004
【図４】
0004785981.tif 000005
【図５】
0004785981.tif 000006
【図６】
0004785981.tif 000007
【図７】
0004785981.tif 000008